(57)【特許請求の範囲】
【請求項１】
押圧操作により変位する釦部と、
前記釦部を往復動可能に支持する枠体と、
前記釦部と前記枠体間の隙間を覆う保護カバーと、
を有する押し釦装置であって、
前記保護カバーが、
前記釦部と接着される第１の接着部と、
前記枠体の外周に形成される立ち上がり部と接着されるとともにその外縁が前記枠体に隣接して設けられる点字銘板と干渉しない位置まで離れた位置に設定される第２の接着部と、
前記第１及び第２の接着部との間に設けられ、前記隙間を防水状態に保持する弾性変形部と、
を備えたことを特徴とする押し釦装置。
【請求項２】
請求項１に記載の押し釦装置であって、
前記保護カバーが可撓性薄膜からなり、
前記弾性変形部は前記釦部の非押圧操作時には前記保護カバー表面側が凸の湾曲形状に形成されていること
を特徴とする押し釦装置。
【請求項３】
請求項２に記載の押し釦装置であって、
前記湾曲形状の部分は前記釦部の押圧操作時における前記第１の接着部と前記第２の接着部の互いに対向する端部間の距離よりも長寸に形成されていること
を特徴とする押し釦装置。
【請求項４】
請求項１に記載の押し釦装置であって、
前記保護カバーが前記釦部と前記枠体を一体的に覆うこと
を特徴とする押し釦装置。
【請求項５】
請求項１に記載の押し釦装置であって、
前記釦部に設けられた凸状部と、
前記保護カバーに設けられ、前記凸状部に嵌り込む凹状部と、
を備えていることを特徴とする押し釦装置。
【請求項６】
請求項１ないし５のいずれか１項に記載の押し釦装置であって、
前記枠体がエレベータ装置の乗りかご内及び／又は乗場のフェースプレートに設けられていることを特徴とする押し釦装置。
【請求項７】
請求項１に記載の押し釦装置であって、
前記枠体がフェースプレートに設けられ、
前記フェースプレートがエレベータ装置の乗りかご内及び／又は乗場のフェースプレートであることを特徴とする押し釦装置。
【請求項８】
押圧操作により変位する釦部と、
前記釦部を往復動可能に支持する枠体と、
を有する押し釦装置に装着される保護カバーであって、
前記釦部と接着される第１の接着部と、
前記枠体の外周に形成される立ち上がり部と接着されるとともにその外縁が前記枠体に隣接して設けられる点字銘板と干渉しない位置まで離れた位置に設定される第２の接着部と、
前記第１及び第２の接着部との間に設けられ、前記釦部と枠体の間の隙間を防水状態に保持する弾性変形部と、
を備えたことを特徴とする保護カバー。
【発明の詳細な説明】
【技術分野】
【０００１】
本発明は、押し釦装置及び保護カバーに係り、さらに詳しくは例えば雨水等が浸入しやすい場所に設置されたエレベータ装置、あるいは屋外で使用される昇降機器のコントローラ等に好適な押し釦装置及び当該押し釦装置の押し釦に装着される保護カバーに関する。
【背景技術】
【０００２】
エレベータ押し釦の保護装置は、防水及び防塵のために必須であり、例えば、特許文献１あるいは２にもこの種の保護装置が開示されている。このうち、特許文献１には、エレベータの押し釦装置の操作性を損なうことなく、雨水の浸入を確実に防止するため、乗場側壁面に設置された押し釦部と、この押し釦部の上面より突出し、この押し釦部の周囲に配設した突出枠体部とを有するエレベータの押し釦装置において、突出枠体部の周囲に密着固定させた防水性を有する部材からなる外縁体と、押し釦部及び突出枠体部を含む密閉空間を形成するよう前記外縁体に密着固定した防水性を有する部材からなる透明保護フィルタと、押し釦部の視認が妨げられないよう透明保護フィルタと押し釦部との間に配設され、透明保護フィルタに与えられた押圧力を押し釦部に伝える伝達体とを備え、前記透明保護フィルタ及び前記外縁体の少なくとも一方が可撓性のある部材からなることを特徴とする発明が記載されている。
【０００３】
また、特許文献２には、悪戯による損傷、及び水分による損傷を防ぐため、フェースプレートに支持された変位部が押圧により押圧方向に変位し、これに応じて動作信号を出力する押し釦に用いられるエレベータ押し釦の保護装置において、前記フェースプレートに固定され、前記変位部の外側を囲むように配置されるとともに、その外周端に向かって傾斜し、かつ角部のない曲線外周形状の厚肉部と、この厚肉部と一体に設けられ、前記変位部の頂部面を覆う薄肉部とからなる保護部材を備えたことを特徴とする発明が記載されている。
【先行技術文献】
【特許文献】
【０００４】
【特許文献１】特開平０９−３１５７１０号公報
【特許文献２】特開２００９−２２７３５６号公報
【発明の概要】
【発明が解決しようとする課題】
【０００５】
しかし、特許文献１記載の発明では、押し釦保護材取り付け部が、押し釦が固定されるフェースプレートに押し釦外周を囲むように取り付けられるため、押し釦近傍に点字銘板などが配置されている場合、外縁体が点字銘板に乗り上げ、接着面がフェースプレートに接地できないため、点字銘板を貼り替える必要がある。
【０００６】
特許文献２の発明では、保護部材が押し釦近傍にある点字銘板を避ける楕円外周形状であれば、押し釦近傍に配置した点字銘板と干渉せずフェースプレートに保護部材を取り付けることが可能である。しかし、押し釦外縁と点字銘板とが接触した状態で配置された場合、接着部が柔軟であるため、点字銘板の上から貼付可能であるが、点字銘板とフェースプレートによって形成される段差によりフェースプレートと接着部との間に空間が生じる。そのため、外縁部に設けた貫通孔が塞がった場合、前記空間から侵入した雨水等がカバー内に溜まる可能性があった。すなわち、従来技術では、押し釦装置を取り付ける際の作業性と取り付けた後の防水機能に問題があった。
【０００７】
そこで、本発明が解決しようとする課題は、取り付けが簡単で、防水機能を確実に発揮することができるようにすることにある。
【課題を解決するための手段】
【０００８】
前記課題を解決するため、第１の手段は、押圧操作により変位する釦部と、前記釦部を往復動可能に支持する枠体と、前記釦部と前記枠体間の隙間を覆う保護カバーと、を有する押し釦装置であって、前記保護カバーが、前記釦部と接着される第１の接着部と、前記枠体の外周に形成される立ち上がり部と接着されるとともにその外縁が前記枠体に隣接して設けられる点字銘板と干渉しない位置まで離れた位置に設定される第２の接着部と、前記第１及び第２の接着部との間に設けられ、前記隙間を防水状態に保持する弾性変形部と、を備えたことを特徴とする。
【０００９】
また、第２の手段は、押圧操作により変位する釦部と、前記釦部を往復動可能に支持する枠体と、を有する押し釦装置に装着される保護カバーであって、前記釦部と接着される第１の接着部と、前記枠体の外周に形成される立ち上がり部と接着されるとともにその外縁が前記枠体に隣接して設けられる点字銘板と干渉しない位置まで離れた位置に設定される第２の接着部と、前記第１及び第２の接着部との間に設けられ、前記釦部と枠体の間の隙間を防水状態に保持する弾性変形部と、を備えたことを特徴とする。
【発明の効果】
【００１０】
本発明によれば、点字銘板の有無を考慮することなく簡単に保護カバーを釦部に取り付けることができる。
【図面の簡単な説明】
【００１１】
【図１】本発明の実施形態に係るエレベータの押し釦装置の正面図である。
【図２】図１における押し釦装置の押し釦保護カバーを拡大して示す図である。
【図３】図２の押し釦保護カバーの右側面図である。
【図４】図２におけるＡ−Ａ線端断面図である。
【図５】押し釦装置の非押圧時の状態を示す図１におけるＢ−Ｂ線要部断面図である。
【図６】押し釦装置の押圧時の状態を示す図１におけるＢ−Ｂ線要部断面図である。
【発明を実施するための形態】
【００１２】
本発明は、保護カバーを釦部表面と釦部を囲む枠体の表面に接着して固定し、保護カバーが釦部と枠体との間に生じる溝部（隙間）を前記釦部の変位を許容した状態で覆うようにしたことを特徴とする。以下、図面を参照し、本発明の実施形態について説明する。
【００１３】
図１は本発明の実施形態に係るエレベータの押し釦装置（以下、単に押し釦装置と称する。）の正面図である。同図において、エレベータの図示しない乗りかご内及び乗場には、呼びを登録するための押し釦１が備えられている。この押し釦１は、図５に示すように、枠体５と枠体５の内側の孔部（釦保持部）８内をスライド可能な釦部３と、前記枠体５及び釦部３がそれぞれ内面側に接着され、両者間に形成される溝部（隙間）１１（図５（ｂ）参照）を覆うように取り付けられた保護カバー９とから基本的に構成されている。なお、図５（ａ）は押し釦装置の押し釦部の非押圧時の状態を示す断面図、図５（ｂ）は図５（ａ）の丸印を付した部分の拡大図、図５（ｃ）は同部分の他の例を示す図である。
【００１４】
押し釦１は乗りかご内の操作パネル及び乗場の操作パネルのフェースプレート２に取付けられ、釦部３が表面側から乗客によって押圧されると、図６（ａ）に示すように押圧方向４に変位し、この押圧によって発生する操作信号を図示しない制御回路が受信し、制御回路は、受信した押し釦１の呼び方向に応じて動作信号を出力する。また、フェースプレート２には、図１に示すように押し釦１の側方、図１では、枠体５の左側の縁部６に、点字銘板７の右端部２１を接触させた状態で点字銘板７が配置されている。なお、図６（ａ）は押し釦装置の押し釦部の押圧時の状態を示す断面図、図６（ｂ）は図６（ａ）の丸印を付した部分の拡大図、図６（ｃ）は同部分の他の例を示す図である。
【００１５】
図２は図１における押し釦装置の上側の押し釦の保護カバーを拡大して示す図、図３はその右側面図、図４は図２におけるＡ−Ａ線端断面図である。これらの図において、保護カバー９は樹脂材によって一体成形された可撓性の薄膜からなる。保護カバー９は、枠体５の形状に合わせて外形略４角形に形成され、外周から予め設定された距離内側に押し釦１の外側に突出した弾性変形部１４が環状に連続して形成されている。保護カバー９の内側であって、凸部１６によって矢印（方向印）１５が形成された釦部３の表面と対向する部分は前記凸部１６と所定の間隙を有した状態で嵌め合い関係となる凹部１７となっており、この凹部１７の形成部分から前記弾性変形部１４が立ち上がる部分までは平面状の第１のシール部１８となっている。第１のシール部１８は釦部３の表面と接着される第１の接着面２５となる。
【００１６】
本実施形態では、枠体５はフェースプレート２の孔部８の内周面に装着され、この内面に沿って釦部３が図５及び図６において垂直方向に往復動する。そのため、枠体５の内側の釦部装着部５Ｃには、内縁部に沿って内側に枠側突起５Ｂが設けられ、これに対応して釦部３の外周の下端部の外縁部に沿って外側に釦部側突起３Ｂが設けられている。枠側突起５Ｂと釦部側突起３Ｂは、図５（ｂ）に示すように、釦部３が初期状態（押圧力が付与されていない状態）で、互いに突起同志が突き当り、いわゆる係合状態となって、釦部３の再上昇位置が規制される。その際、釦部３の図において下側にはスイッチ機構若しくはスイッチ連動機構が設けられ、釦部３を図示しない弾性部材によって常時垂直上方向に押し上げている。これにより、弾性部材の弾性力に抗して釦部３を押圧すれば下降し、押圧解除すれば、上昇する。このように枠体５は釦部３を往復動可能（図示押圧方向４及び反押圧方向）に支持し、互いの突起５Ｂ，３Ｂが係合し、初期位置の位置決めがなされることになる。このため、枠側突起５Ｂは釦部３のストッパとして機能する。
【００１７】
枠体５の上端面５Ａは、内側が外側よりもフェースプレート２から突出した傾斜を有する傾斜面として形成され、この形状に合わせて図４に示すように保護カバー９の外周部も第２のシール部１９として同一の傾斜を有する傾斜面に形成されている。そして、この傾斜面が枠体５の上端面５Ａと接着される第２の接着面２６となっている。すなわち、保護カバー９は、釦部３の表面３Ａが第１及び第２の接着面２５と接着固定され、枠体５の上端面５Ａが第２の接着面２６と接着固定され、弾性変形部１４が前記突起５Ｂ，３Ｂの係合によって生じる釦部３と枠体５と間の溝部（隙間）１１を完全に覆う形状となっている。そして、このような形状とすることにより、釦部３を押圧したときの変位量１３（図６（ｂ）参照）を弾性変形部１４によって吸収させることができるようにしている。
【００１８】
なお、第１及び第２の接着面２５，２６は保護カバー９の下面１０のうち、前者は釦部３の上面と対向する略４角形の面に、後者は傾斜した上端面５Ａと対向する４角形の環状の面となる。また、本実施形態では、釦部３は外形略４角形に形成されているが、円形に形成しても良い。この場合、枠体５の釦部装着部５Ｃも円形となる。その他、釦部３と枠体５の外形形状は、釦部３が枠体５の釦部装着部５Ｃに往復移動可能に保持できれば、どのような形状でも良い。
【００１９】
保護カバー９は図５に示すように、釦部３の表面３Ａと枠体５の上端面５Ａのみ第１及び第２の接着面２５，２６を介して接着、固定されることにより、釦部３と枠体５の間に生じる溝部１１が弾性変形部１４で覆われることになる。その際、釦部３の表面３Ａと第１の接着面２５で形成される第１のシール部１８、及び枠体５の上端面５Ａと第２の接着面２６で形成される第２のシール部１９により、釦部３の変位位置に拘わらず、溝部１１を外部から完全に遮断することができる。その結果、外表面からの雨水等の溝部１１への侵入を確実に防止することが可能となる。
【００２０】
可撓性薄膜から成形された保護カバー９の第２のシール部１９は、枠体５の上端面５Ａに続く外周の立ち上がり部２０に接着面を必要としないため、図５（ａ）に示すように点字銘板７の図示右端部２１を押し釦１の左側６で枠体５の側面に接触させて配置した場合でも、点字銘板７を貼り替えることなく押し釦１に取り付け可能である。しかし、保護カバー９の押し釦１への固定性能及び防水性の向上を目的として、図５（ｂ）に示すように点字銘板７の厚み７Ａと干渉しない程度に立ち上がり部２０へ固定する固定部２２を設けても良い。
【００２１】
このように、図５（ｂ）及び（ｃ）あるいは図６（ｂ）及び（ｃ）に拡大して示したように保護カバー９の外縁に固定部２２を設けるか否かに拘わらず、保護カバー９の外縁９Ａは枠体５に隣接して配置された点字銘板７と干渉しない形状若しくは位置に設定されているので、押し釦１の枠体５の外周（立ち上がり部２０）に接触して配置された点字銘板７が存在しても、点字銘板７と保護カバー９の外縁９Ａが干渉することはない。そのため、点字銘板７とフェースプレート２との間の段差によって保護カバー９と点字銘板７若しくはフェースプレート２と間に空間が生じることはなく、押し釦１表面と保護カバー９との間の防水性が保持される。その結果、排水を目的とした貫通孔などを設ける必要がなくなる。
【００２２】
さらに、弾性変形部１４は釦部３の押圧４による変位量１３（図６（ｂ）参照）を考慮し、利用者２３が釦部３を押して符号１３で示す変位１３が生じた場合、最大変位量においても弾性変形域にあるように設定されている。本実施形態では、弾性変形部１４の形状及び突出量は、互いに近接する第１の接着面２５の端部２５ａと第２の接着面２６の端部２６ａとの距離２７よりも突出部１４の長さが長寸になるように形成され、さらに、前記変位量１３が最大となったときの前記端部２５ａ，２６ａの間隔２８よりもさらに長寸であって、保護カバー９の表面側（図において上方）に凸形状を維持するように設定されている。これにより、釦部３の非押圧時及び押圧時に拘わらず、弾性変形部１４は図５及び図６に示すように保護カバー９の表面側に向かって凸形状を維持し、釦部３を押圧操作したときの変位を阻害することがなく、釦部３が変位した際にも溝部１１の外部からの防水状態を継続させることができる。また、弾性変形部１４は押し釦１の釦部３の変位量を考慮した余裕代としての機能を果たすため、押し釦押圧操作による保護カバー９の接着部剥離を防止する機能も有する。すなわち、前記変位が生じた場合でも、弾性変形部１４が可撓変形２４し、第１のシール部１８と第１の接着面２５、及び第２のシール部１９と第２の接着面２６の間に剥がれを生じさせる力が発生することはない。
【００２３】
なお、本実施形態では、弾性変形部１４は保護カバー９の表面側に凸の湾曲形状に形成されているが、防水構造で弾性変形可能であれば、形状を限定するものではなく、例えば蛇腹状に形成することもできる。
【００２４】
また、保護カバー９を透明な可撓性薄膜で形成すれば、押し釦１の釦部３の表面３Ａに印刷された方向印１５を容易に視認すること可能である。さらに、押し釦１の釦部３の表面３Ａに方向印１５等の釦情報を表示する凸部１６が形成されている場合には、凸部１６と接触する釦部３表面３Ａに凸部１６に合せた凸部１６と同じ形状の凹部１７を保護カバー９の下面１０に予め設けておけば、保護カバー９の第１の接着面２５と釦部３の表面３Ａとの間に保護カバー９を前記表面３Ａから引き剥がすような力が生じることもない。さらに、前記凹部１７を設けると、利用者による釦部３の押圧操作による保護カバー９の第１の接着面２５に対する固定性能も向上する。加えて、押圧操作時において、押し釦１の凸部１６の触感を損なうこともない。
【００２５】
さらに加えて、保護カバー９を釦部３の表面に凸部１６を形成した方向印１５上に取り付ける場合でも、位置合わせが簡単で、容易に取り付けることができる。また、取り付けた後も、前記凸部１６と凹部１７により接触面積が増え、保護カバー９の第１の接着面２５と釦部３の表面３Ａとの剥離防止及び気泡の混入防止などを図ることができる。その際、凹部１７も凸部１６と接着すれば、さらに剥離防止機能は向上する。
【００２６】
なお、本実施形態では、釦部３の表面全体が可動性薄膜１２により覆われる形状としたが、これに限られるものではない。例えば方向印１５と干渉しないような形に切り抜かれた形状としながら、釦部３の外縁部の近傍で、保護カバー９の第１の接着面２５と釦部３表面３Ａを接着するようにすることもできる。このような形態であっても、釦部３の表面３Ａと第２の接着面２５との接着部分と枠体５の上端面５Ａと第２の接着面２６との接着部分とによって溝部１１を囲み、弾性変形部１４によって溝部１１を外部から完全遮断することができる。
【００２７】
また、前述のように保護カバー９を釦部３の表面全体を覆う形状とすると、往復動を行う釦部３の変位により、万が一、釦部表面３Ａと第１の接着面２５との接着部分に剥がれが生じてしまっても、釦部３の表面３Ａは保護カバー９によって覆われたままで、水の浸入を防止する機能を失わないので、溝部１１からの水の浸入を確実に防止することができる。
【００２８】
さらに、弾性変形部１４が前記距離２７及び前記間隔２８によりも長寸に形成され、釦部３の非押圧時及び押圧時を問わず、凸形状を維持しているので、溝部１１をドーム状に常時覆い、弾性変形部１４の両端部は第１及び第２の接着部２５，２６で接着されていることから、溝部１１のシール性を常に確保することができる。
【００２９】
以上のように、本実施形態によれば、
１）釦部３を押圧操作した場合でも、弾性変形部１４の弾性変形により防水構造は維持されるので、釦部３の押圧操作の有無に拘わらず防水性を確保することができる。  
２）保護カバー９を第１のシール部１８の第１の接着面２５で釦部３の表面３Ａと接着し、第２のシール部１９の第２の接着面２６で枠体５の上端面５Ａと接着するので、簡単に保護カバー９を押し釦１に取り付けることができる。  
３）第１及び第２のシール部１８，１９の間が弾性変形部１４なので、第１及び第２のシール部１８，１９の第１及び第２の接着面２５，２６をそれぞれ釦部３及び枠体５の表面３Ａ及び上端面５Ａに接着するだけで、釦部３の押圧位置に拘わらず防水構造とすることが可能となり、前記１）の効果を得ることができる。  
４）保護カバー９の第２のシール部１９の外縁９Ａのフェースプレート２からの高さ位置を点字銘板７と干渉しない高さ（若しくは位置）に設定することにより、フェースプレート２の点字銘板７の有無を考慮することなく簡単に保護カバー９を押し釦１に取り付けることができる。  
５）釦部３に設けられた方向印１５などの凸部１６に対応する位置に凹部１７を設け、凸部１６に凹部１７を被せ、第１のシール部１８を釦部３に接着すると、位置合わせが簡単となるばかりでなく、利用者による釦部３の押圧操作による保護カバー９の第１の接着面２５に対する固定性能も向上する。  
６）さらに、凸部１６と凹部１７間も接着すると接着強度も増し、保護カバー９の剥離防止及び保護カバー９と釦部表面３Ａへの気泡の混入を防止することができる。  
７）保護カバー９を釦部３の全面を覆う形状とすると、釦部表面３Ａと第１の接着面２５との接着部分に剥がれが生じてしまったとしても防水機能を維持することができる。  
などの効果を奏することができる。
【００３０】
なお、特許請求の範囲における釦部は本実施形態では符号３に、枠体は符号５に、保護カバーは符号９に、第１の接着部は符号２５に、第２の接着部は符号２６に、弾性変形部は符号１４に、第１の接着部と第２の接着部の互いに対向する端部間の間隔は符号２８に、凸状部は凸部１６に、凹状部は凹部１７に、フェースプレートは符号２に、点字銘板は符号７に、第２の接着部の外縁は保護カバーの外縁９Ａに、それぞれ対応する。
【００３１】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３２】
１  押し釦
２  フェースプレート
３  釦部
５  枠体
７  点字銘板
９  保護カバー
９Ａ  外縁
１４  弾性変形部
１６  凸部
１７  凹部
２５  第１の接着部
２６  第２の接着部
２８  第１の接着部と第２の接着部の互いに対向する端部間の間隔
【図１】
0005529179.tif 000002
【図２】
0005529179.tif 000003
【図３】
0005529179.tif 000004
【図４】
0005529179.tif 000005
【図５】
0005529179.tif 000006
【図６】
0005529179.tif 000007